【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
第１の外部機器と通信する第１の通信手段と、
ストリームを配信するストリーム配信サーバとネットワークを介して通信する第２の通信手段と、
前記第１の通信手段により前記第１の外部機器の状態を取得する状態取得手段と、
前記状態取得手段により取得した前記第１の外部機器の状態が所定の条件を満たす場合に、前記ストリームの配信の中断を依頼する信号を前記第２の通信手段により前記ストリーム配信サーバに送出するよう制御する制御手段と、
を備えることを特徴とする情報処理装置。
【請求項２】
前記第１の外部機器の状態とは、前記第１の外部機器との通信速度であり、
前記所定の条件を満たす場合とは、前記通信速度が所定の値より低い場合であることを特徴とする請求項１に記載の情報処理装置。
【請求項３】
前記第１の外部機器の状態とは、前記第１の外部機器の電池残量であり、
前記所定の条件を満たす場合とは、前記電池残量が所定値以下の場合であることを特徴とする請求項１に記載の情報処理装置。
【請求項４】
前記第１の外部機器は、ヘッドセットであることを特徴とする請求項１ないし３のいずれか１項に記載の情報処理装置。
【請求項５】
前記第１の外部機器とは、ヘッドセットであり、
前記第１の外部機器の状態とは、前記ヘッドセットをユーザが装着しているか否かの状態であり、
前記所定の条件を満たす場合とは、前記ヘッドセットが装着されていない場合であることを特徴とする請求項１に記載の情報処理装置。
【請求項６】
第１の外部機器と通信する第１の通信手段と、
ファイルを送信するファイルサーバとネットワークを介して通信する第２の通信手段と、
前記第１の通信手段により前記第１の外部機器の状態を取得する状態取得手段と、
前記状態取得手段により取得した前記第１の外部機器の状態が所定の条件を満たす場合に、前記ファイルの送信の中断を依頼する信号を前記第２の通信手段が前記ファイルサーバに送出するよう制御する制御手段と、
を備えることを特徴とする情報処理装置。
【請求項７】
第１の外部機器と通信する第１の通信手段と、
番組を録画する録画装置とネットワークを介して通信する第２の通信手段と、
前記第１の通信手段により前記第１の外部機器の状態を取得する状態取得手段と、
前記状態取得手段により取得した前記第１の外部機器の状態が所定の条件を満たす場合に、放送の録画開始を依頼する信号を前記第２の通信手段により前記録画装置に送出するよう制御する制御手段と、
を備えることを特徴とする情報処理装置。
【請求項８】
前記情報処理装置は、放送される番組を受信する放送受信手段を備え、
前記第１の外部機器はヘッドセットであり、
前記制御手段は、前記放送受信手段により受信している番組を前記第１の通信手段により前記ヘッドセットに送信することを特徴とする請求項７に記載の情報処理装置。
【請求項９】
第１の外部機器と通信する第１の通信手段と、
ストリームを配信するストリーム配信サーバとネットワークを介して通信する第２の通信手段と、
前記第１の通信手段による第１の外部機器と通信可能か否かの通信状態を取得する通信状態取得手段と、
前記通信状態取得手段により取得した通信状態が所定の条件を満たす場合に、前記第２の通信手段により前記ストリームの配信を停止するための停止要求信号を送信するように制御し、前記ストリームの配信を停止した状態にて前記通信状態取得手段により取得した通信状態が前記所定の条件を満たさなくなった場合に、前記第２の通信手段により前記ストリームの配信を再開するための再開要求信号を前記ストリーム配信サーバに送信し、前記第２の通信手段により受信したストリームを前記第１の通信手段により前記第１の外部機器に送信するよう制御する制御手段と、
を備えることを特徴とする情報処理装置。
【請求項１０】
前記通信状態が所定の条件を満たす場合とは、前記第１の外部装置との通信速度が所定の値より低い場合であることを特徴とする請求項９に記載の情報処理装置。
【請求項１１】
ヘッドセットと通信する第１の通信手段と、
電話機と通信する第２の通信手段と、
前記第１の通信手段による通信状態を取得する通信状態取得手段と、
前記電話機との通話中に前記通信状態取得手順により取得した通信状態が、所定の条件を満たす場合は、前記電話機に前記通信状態の出力を依頼する出力依頼信号を前記第２の通信手段により送信するよう制御し、前記出力依頼信号を送信した後、前記通信状態取得手段により取得した前記第１の通信手段による通信状態が所定の条件を満たさなくなった場合は、前記出力依頼信号の送信を停止する制御手段と、
を備えることを特徴とする情報処理装置。
【請求項１２】
第１の外部機器と通信する第１の通信手段と、
第２の外部機器とネットワークを介して通信する第２の通信手段と、
前記第１の通信手段による通信状態を取得する通信状態取得手順及び該通信状態取得手順により取得した通信状態に応じた依頼信号を前記第２の外部機器に送出する送信手順を有する制御手段と、
を備えることを特徴とする情報処理装置。
【請求項１３】
前記情報処理装置は、携帯電話機であることを特徴とする請求項１ないし１２のいずれか１項に記載の情報処理装置。
【手続補正２】
【補正対象書類名】明細書
【補正対象項目名】０００４
【補正方法】変更
【補正の内容】
【０００４】
そこで、本発明の目的は、使い勝手を向上させた情報処理装置を提供することを目的とする。
【手続補正３】
【補正対象書類名】明細書
【補正対象項目名】０００５
【補正方法】変更
【補正の内容】
【０００５】
本発明にかかる情報処理装置は、第１の外部機器と通信する第１の通信手段と、第２の外部機器とネットワークを介して通信する第２の通信手段と、前記第１の通信手段による通信状態を取得する通信状態取得手順および前記通信状態取得手順により取得した前記通信状態に応じた依頼信号を第２の外部機器に送出する送信手順を有する制御手段、を有することを特徴とする。
【手続補正４】
【補正対象書類名】明細書
【補正対象項目名】０００６
【補正方法】変更
【補正の内容】
【０００６】
すなわち、本発明は、第１の外部機器と通信する第１の通信手段と、ストリームを配信するストリーム配信サーバとネットワークを介して通信する第２の通信手段と、前記第１の通信手段により前記第１の外部機器の状態を取得する状態取得手段と、前記状態取得手段により取得した前記第１の外部機器の状態が所定の条件を満たす場合に、前記ストリームの配信の中断を依頼する信号を前記第２の通信手段により前記ストリーム配信サーバに送出するよう制御する制御手段と、を備える情報処理装置である。
【手続補正５】
【補正対象書類名】明細書
【補正対象項目名】０００７
【補正方法】変更
【補正の内容】
【０００７】
また、本発明は、前記第１の外部機器の状態とは、前記第１の外部機器との通信速度であり、
前記所定の条件を満たす場合とは、前記通信速度が所定の値より低い場合である情報処理装置である。
【手続補正６】
【補正対象書類名】明細書
【補正対象項目名】０００８
【補正方法】変更
【補正の内容】
【０００８】
そして、本発明は、前記第１の外部機器の状態とは、前記第１の外部機器の電池残量であり、
前記所定の条件を満たす場合とは、前記電池残量が所定値以下の場合である情報処理装置である。
【手続補正７】
【補正対象書類名】明細書
【補正対象項目名】０００９
【補正方法】変更
【補正の内容】
【０００９】
更に、本発明は、前記第１の外部機器は、ヘッドセットである情報処理装置である。
【手続補正８】
【補正対象書類名】明細書
【補正対象項目名】００１０
【補正方法】変更
【補正の内容】
【００１０】
また、本発明は、前記第１の外部機器とは、ヘッドセットであり、前記第１の外部機器の状態とは、前記ヘッドセットをユーザが装着しているか否かの状態であり、前記所定の条件を満たす場合とは、前記ヘッドセットが装着されていない場合である情報処理装置である。
【手続補正９】
【補正対象書類名】明細書
【補正対象項目名】００１１
【補正方法】変更
【補正の内容】
【００１１】
そして、本発明は、第１の外部機器と通信する第１の通信手段と、ファイルを送信するファイルサーバとネットワークを介して通信する第２の通信手段と、前記第１の通信手段により前記第１の外部機器の状態を取得する状態取得手段と、前記状態取得手段により取得した前記第１の外部機器の状態が所定の条件を満たす場合に、前記ファイルの送信の中断を依頼する信号を前記第２の通信手段が前記ファイルサーバに送出するよう制御する制御手段と、を備える情報処理装置である。
【手続補正１０】
【補正対象書類名】明細書
【補正対象項目名】００１２
【補正方法】変更
【補正の内容】
【００１２】
更に、本発明は、第１の外部機器と通信する第１の通信手段と、番組を録画する録画装置とネットワークを介して通信する第２の通信手段と、前記第１の通信手段により前記第１の外部機器の状態を取得する状態取得手段と、前記状態取得手段により取得した前記第１の外部機器の状態が所定の条件を満たす場合に、放送の録画開始を依頼する信号を前記第２の通信手段により前記録画装置に送出するよう制御する制御手段と、を備える情報処理装置である。
【手続補正１１】
【補正対象書類名】明細書
【補正対象項目名】００１３
【補正方法】変更
【補正の内容】
【００１３】
また、本発明は、前記情報処理装置は、放送される番組を受信する放送受信手段を備え、前記第１の外部機器はヘッドセットであり、前記制御手段は、前記放送受信手段により受信している番組を前記第１の通信手段により前記ヘッドセットに送信する情報処理装置である。
【手続補正１２】
【補正対象書類名】明細書
【補正対象項目名】００１４
【補正方法】変更
【補正の内容】
【００１４】
そして、本発明は、第１の外部機器と通信する第１の通信手段と、ストリームを配信するストリーム配信サーバとネットワークを介して通信する第２の通信手段と、前記第１の通信手段による第１の外部機器と通信可能か否かの通信状態を取得する通信状態取得手段と、前記通信状態取得手段により取得した通信状態が所定の条件を満たす場合に、前記第２の通信手段により前記ストリームの配信を停止するための停止要求信号を送信するように制御し、前記ストリームの配信を停止した状態にて前記通信状態取得手段により取得した通信状態が前記所定の条件を満たさなくなった場合に、前記第２の通信手段により前記ストリームの配信を再開するための再開要求信号を前記ストリーム配信サーバに送信し、前記第２の通信手段により受信したストリームを前記第１の通信手段により前記第１の外部機器に送信するよう制御する制御手段と、を備える情報処理装置である。
【手続補正１３】
【補正対象書類名】明細書
【補正対象項目名】００１５
【補正方法】変更
【補正の内容】
【００１５】
更に、本発明は、前記通信状態が所定の条件を満たす場合とは、前記第１の外部装置との通信速度が所定の値より低い場合である情報処理装置である。
【手続補正１４】
【補正対象書類名】明細書
【補正対象項目名】００１６
【補正方法】変更
【補正の内容】
【００１６】
また、本発明は、ヘッドセットと通信する第１の通信手段と、電話機と通信する第２の通信手段と、前記第１の通信手段による通信状態を取得する通信状態取得手段と、前記電話機との通話中に前記通信状態取得手順により取得した通信状態が、所定の条件を満たす場合は、前記電話機に前記通信状態の出力を依頼する出力依頼信号を前記第２の通信手段により送信するよう制御し、前記出力依頼信号を送信した後、前記通信状態取得手段により取得した前記第１の通信手段による通信状態が所定の条件を満たさなくなった場合は、前記出力依頼信号の送信を停止する制御手段と、を備える情報処理装置である。
【手続補正１５】
【補正対象書類名】明細書
【補正対象項目名】００１７
【補正方法】変更
【補正の内容】
【００１７】
そして、本発明は、第１の外部機器と通信する第１の通信手段と、第２の外部機器とネットワークを介して通信する第２の通信手段と、前記第１の通信手段による通信状態を取得する通信状態取得手順及び該通信状態取得手順により取得した通信状態に応じた依頼信号を前記第２の外部機器に送出する送信手順を有する制御手段と、を備える情報処理装置である。
【手続補正１６】
【補正対象書類名】明細書
【補正対象項目名】００１８
【補正方法】変更
【補正の内容】
【００１８】
更に、本発明は、前記情報処理装置は、携帯電話機である情報処理装置である。